(57)【特許請求の範囲】
【請求項１】
リセプタクルインシュレータ、及び、該リセプタクルインシュレータに一方向に並んだ状態で支持した、回路基板に実装される一対の金属製のリセプタクルコンタクト、を有するリセプタクルコネクタと、
プラグインシュレータ、該プラグインシュレータに上記一方向に並んだ状態で支持した一対の金属製のプラグコンタクト、及び、各プラグコンタクトにその一端部をそれぞれ接続した上記一方向に対して略直交する方向に延びる一対の電線、を有する、上記リセプタクルコネクタと着脱可能なプラグコネクタと、
を具備するコネクタにおいて、
上記プラグコンタクトが、上記一方向及びプラグコネクタとリセプタクルコネクタの対向方向に直交する方向に延びる接触部と、該接触部から他方のプラグコンタクト側に向かって延びる一対の連結部と、該一対の連結部から互いに近づく方向に延びた後に他方のプラグコンタクト側に向かって延び、かつ上記電線と接続する一対の接続部と、を有し、
上記プラグインシュレータの上記リセプタクルインシュレータとの対向面に、上記接触部を嵌合保持する一対の嵌合保持部と、該一対の嵌合保持部の間に位置し上記連結部を受け入れる一対の嵌合凹部と、該一対の嵌合凹部の間に形成した上記接続部及び上記電線を受け入れる受容凹部と、上記受容凹部に隣接すると共に上記連結部と上記一方向に並び、かつ上記電線を支持する一対の電線支持孔を有する、上記リセプタクルコネクタ側に延びる壁部と、を形成し、
上記リセプタクルコンタクトが、固定部と、該固定部から他方のリセプタクルコンタクト側に向かって延びると共に上記プラグコネクタ側が開口する断面略Ｕ字形をなし上記接触部が挿脱可能な部分を有し、かつ自由状態における略Ｕ字形をなす部分の対向内面の上記一方向の間隔が上記接触部の該一方向の寸法より狭い弾性変形部と、を有し、
上記リセプタクルインシュレータのプラグコネクタとの対向面に、上記固定部を嵌合保持する一対の固定溝と、該一対の固定溝の間に位置し、上記弾性変形部を弾性変形可能に受け入れる一対のコンタクト用凹部と、該一対のコンタクト用凹部の間において上記プラグコネクタ側に向かって突出し、上記弾性変形片の自由端部と上記一方向に対向し、かつプラグコネクタをリセプタクルコネクタに装着したときに上記嵌合凹部に嵌合する一対の嵌合突部と、上記一対の嵌合突部の間に形成した上記一対の電線を受け入れ可能な電線受容空間と、
を有することを特徴とするコネクタ。
【請求項２】
請求項１記載のコネクタにおいて、
上記リセプタクルインシュレータのプラグコネクタとの対向面に、上記コンタクト用凹部と上記電線と平行な方向に並び、かつ、該接触部が係脱可能な収容凹部を形成したコネクタ。
【請求項３】
請求項１または２記載のコネクタにおいて、
上記プラグインシュレータの上記壁部におけるリセプタクルコネクタ側の端部に係合突部を形成し、
上記リセプタクルインシュレータに、プラグコネクタをリセプタクルコネクタに装着したときに上記係合突部を受け入れる係合凹部を形成したコネクタ。
【請求項４】
請求項１または２記載のコネクタにおいて、
上記電線の断面形状が円形であり、
上記リセプタクルインシュレータの上記プラグコネクタとの対向面に、上記電線受容空間において上記嵌合突部に接続し、かつ該対向面側から上記プラグコネクタ側に向かうにつれて該嵌合突部からの上記一方向の突出量が徐々に小さくなる補強リブを突設したコネクタ。
【請求項５】
請求項１から４のいずれか記載のコネクタにおいて、
上記プラグコンタクトの上記接触部が、一つの金属板を折り曲げることにより構成した２枚板構造であるコネクタ。
【請求項６】
請求項１から５のいずれか１項記載のコネクタにおいて、
上記プラグインシュレータに治具の一部を挿脱可能な治具挿入部を形成したコネクタ。
【請求項７】
請求項１から６のいずれか１項記載のコネクタにおいて、
上記接触部と上記弾性変形部の一方に係止凹部を形成し、
他方に、プラグコネクタをリセプタクルコネクタに装着したときに上記係止凹部に嵌合する係止突部を形成したコネクタ。
【請求項８】
請求項１から６のいずれか１項記載のコネクタにおいて、
上記接触部と上記弾性変形部の一方に第１係止突部を形成し、
他方に、プラグコネクタをリセプタクルコネクタに装着したときに上記第１係止突部を乗り越えて、該第１係止突部に係止する第２係止突部を形成したコネクタ。
【請求項９】
請求項１から８のいずれか１項記載のコネクタにおいて、
上記プラグインシュレータの外面に、上記電線の延長方向に突出し、かつ上記プラグコネクタのリセプタクルコネクタに対する分離方向側から上記電線と対向する抑え用突部を形成したコネクタ。
【発明の詳細な説明】
【技術分野】
【０００１】
本発明は、電線に接続するプラグコンタクトを有するプラグコネクタと、回路基板に実装されたリセプタクルコネクタと、を備えるコネクタに関する。
【背景技術】
【０００２】
携帯電話、ＰＤＡ（Personal  Digital  Assistant）、その他の情報携帯端末の構成部品の一部（例えばスピーカー、マイク、バイブレーションモータ）は回路基板に半田付けした後に行うリフローに対応できないため、回路基板に直接実装できない。そのため、回路基板にリセプタクルコネクタを実装するとともに、当該部品を電線を介してプラグコネクタに接続し、このリセプタクルコネクタとプラグコネクタを接続するのが一般的である。
【０００３】
この種のコネクタの従来例である特許文献１のプラグコネクタは、プラグインシュレータと、プラグインシュレータに一方向に並べて固定した一対の金属製のプラグコンタクトと、各プラグコンタクトに接続する一対の電線と、を具備している。各プラグコンタクトは上記一方向に直交する直交方向に延びる接触部（接触板）と、接触部から他方のプラグコンタクト側に延びる延出部（連結部、基部）と、延出部の上記直交方向の両端部からリセプタクルコネクタ側に向かって延び、かつ電線に接続する一対の圧接板と、を有している。一方、リセプタクルコネクタは、リセプタクルインシュレータと、リセプタクルインシュレータに上記一方向に並べて固定した、回路基板と接続する一対の金属製のリセプタクルコンタクトと、を具備している。リセプタクルインシュレータの上記一方向の両端部にはリセプタクルコンタクトを支持するための一対の側壁がプラグコネクタ側に向けて突設してあり、一対の側壁の間はプラグコネクタを嵌合するための凹部となっている。さらに各リセプタクルコンタクトは、その一端が各側壁に固定状態で支持してあり、他端側は弾性変形可能となっている。
従って、リセプタクルコネクタの凹部にプラグコネクタを嵌合すると、リセプタクルコネクタの一対のリセプタクルコンタクトの自由端部が弾性変形しながら一対のプラグコンタクトの接触部に接触するので、一対の電線と回路基板が電気的に導通する。
【先行技術文献】
【特許文献】
【０００４】
【特許文献１】特許第３７４５３１８号公報
【特許文献２】特許第３０５９９６５号公報
【発明の概要】
【発明が解決しようとする課題】
【０００５】
近年機器の小型化に伴い、コネクタに対する低背化と省面積化の要求が厳しさを増している。
その対応策として特許文献１のコネクタでは、ボックス状のリセプタクルコネクタに電線を支持したプラグコネクタを嵌合して、プラグコネクタの側面に形成したプラグコンタクトの接触部にリセプタクルコンタクトの自由端部を一方から接触させる構造として低背化を図っている。しかし、コンタクト同士の接触態様が上記態様であるため、リセプタクルコンタクトの小型化に伴ってその弾性力が低下すると、電線振れや嵌合クリアランスによるガタツキの影響を受けて変位量が変化して接触抵抗が不安定になり易くなる。
また、特許文献２に開示されたコネクタでは、リセプタクルコンタクト（実装用コンタクト）を連結基部から二股状に延びる一対の挟持片を具備する構成とし一対の挟持片によってプラグコンタクトの接触部を挟持する構造としてコンタクト同士の接触の安定化を図っている。しかし、一対の挟持片は底面側を固定して嵌合側に伸びる単純片持ちばねであり、弾性変形し易くするためには長さが必要となる。
しかし、挟持片を長くするとリセプタクルコネクタの高さ寸法が大きくなるとともに、プラグコンタクトとの接触位置も高くなるため、プラグコンタクトの接触部も高くする必要がある。さらにプラグコネクタとリセプタクルコネクタが積層構造（互いのインシュレータの対向面に嵌合しあう凹部と凸部を具備しない構造）であるため、コネクタ全体としての低背化が困難である。また、積層構造のためコネクタ全体の省面積化は実現できるが、電線位置がプラグコネクタとリセプタクルコネクタの嵌合面（位置）と離れる（高くなる）ため、電線に加わる外力等によりプラグにモーメントが加わると、プラグコネクタに傾きや嵌合外れが生じ易くなる。
【０００６】
つまり、更なる低背化及び省面積化という視点に関して、特許文献１のコネクタでは省面積化と接触信頼性が問題となり、特許文献２のコネクタでは低背化と嵌合保持力が問題となる。
【０００７】
本発明の目的は、電線を支持したプラグコネクタと回路基板に接続したリセプタクルコネクタの小面積化及び低背化と、コンタクト同士を確実かつ安定して接触させることが可能で、しかもプラグコネクタとリセプタクルコネクタを強固に接続可能なコネクタを提供することにある。
【課題を解決するための手段】
【０００８】
本発明のコネクタは、一方向に並んだ状態で支持した、回路基板に実装される一対の金属製のリセプタクルコンタクト、を有するリセプタクルコネクタと、プラグインシュレータ、該プラグインシュレータに上記一方向に並んだ状態で支持した一対の金属製のプラグコンタクト、及び、各プラグコンタクトにその一端部をそれぞれ接続した上記一方向に対して略直交する方向に延びる一対の電線、を有する、上記リセプタクルコネクタと着脱可能なプラグコネクタと、を具備するコネクタにおいて、上記プラグコンタクトが、上記一方向及びプラグコネクタとリセプタクルコネクタの対向方向に直交する方向に延びる接触部と、該接触部から他方のプラグコンタクト側に向かって延びる一対の連結部と、該一対の連結部から互いに近づく方向に延びた後に他方のプラグコンタクト側に向かって延び、かつ上記電線と接続する一対の接続部と、を有し、上記プラグインシュレータの上記リセプタクルインシュレータとの対向面に、上記接触部を嵌合保持する一対の嵌合保持部と、該一対の嵌合保持部の間に位置し上記連結部を受け入れる一対の嵌合凹部と、該一対の嵌合凹部の間に形成した上記接続部及び上記電線を受け入れる受容凹部と、上記受容凹部に隣接すると共に上記連結部と上記一方向に並び、かつ上記電線を支持する一対の電線支持孔を有する、上記リセプタクルコネクタ側に延びる壁部と、を形成し、上記リセプタクルコンタクトが、固定部と、該固定部から他方のリセプタクルコンタクト側に向かって延びると共に上記プラグコネクタ側が開口する断面略Ｕ字形をなす部分を有し、かつ自由状態における略Ｕ字形をなす部分の対向内面の上記一方向の間隔が上記接触部の該一方向の寸法より狭い弾性変形部と、を有し、上記リセプタクルインシュレータのプラグコネクタとの対向面に、上記固定部を嵌合保持する一対の固定溝と、該一対の固定溝の間に位置し、上記弾性変形部を弾性変形可能に受け入れる一対のコンタクト用凹部と、該一対のコンタクト用凹部の間において上記プラグコネクタ側に向かって突出し、上記弾性変形片の自由端部と上記一方向に対向し、かつプラグコネクタをリセプタクルコネクタに装着したときに上記嵌合凹部に嵌合する一対の嵌合突部と、上記一対の嵌合突部の間に形成した上記一対の電線を受け入れ可能な電線受容空間と、を有することを特徴としている。
【０００９】
上記リセプタクルインシュレータのプラグコネクタとの対向面に、上記コンタクト用凹部と上記電線と平行な方向に並び、かつ、該接触部が係脱可能な収容凹部を形成してもよい。
【００１０】
上記プラグインシュレータの上記壁部におけるリセプタクルコネクタ側の端部に係合突部を形成し、上記リセプタクルインシュレータに、プラグコネクタをリセプタクルコネクタに装着したときに上記係合突部を受け入れる係合凹部を形成してもよい。
【００１１】
上記電線の断面形状が円形であり、上記リセプタクルインシュレータの上記プラグコネクタとの対向面に、上記電線受容空間において上記嵌合突部に接続し、かつ該対向面側から上記プラグコネクタ側に向かうにつれて該嵌合突部からの上記一方向の突出量が徐々に小さくなる補強リブを突設してもよい。
【００１２】
上記プラグコンタクトの上記接触部が、一つの金属板を折り曲げることにより構成した２枚板構造としてもよい。
【００１３】
上記プラグインシュレータに治具の一部を挿脱可能な治具挿入部を形成してもよい。
【００１４】
上記接触部と上記弾性変形部の一方に係止凹部を形成し、他方に、プラグコネクタをリセプタクルコネクタに装着したときに上記係止凹部に嵌合する係止突部を形成してもよい。
また、上記接触部と上記弾性変形部の一方に第１係止突部を形成し、他方に、プラグコネクタをリセプタクルコネクタに装着したときに上記第１係止突部を乗り越えて、該第１係止突部に係止する第２係止突部を形成してもよい。
【００１５】
上記プラグインシュレータの外面に、上記電線の延長方向に突出し、かつ上記プラグコネクタのリセプタクルコネクタに対する分離方向側から上記電線と対向する抑え用突部を形成してもよい。
【発明の効果】
【００１６】
本発明のリセプタクルコンタクトの弾性変形部はコネクタの高さ方向と直交する方向に延びているので、コネクタが低背化しても十分な弾性力と変形量を確保できる。さらに、嵌合側に略Ｕ状に開放しているため、プラグコンタクトの誘い込み性に優れ、プラグコネクタの無理な接触による座屈・変形等を防止できる。さらにリセプタクルコンタクトはプラグコンタクトの接触部を挟持可能なので接触信頼性が良好である。
またプラグコンタクトの接続部と連結部の間に段差を形成し、この段差部にプラグインシュレータの壁部を形成しているので、壁部の板厚を大きくすることが可能である。そのためプラグコネクタを低背・省面積化した場合であっても、プラグインシュレータの機械的強度や電線支持の効果を強くすることが可能である。さらに、プラグコネクタとリセプタクルコネクタを装着したときにリセプタクルインシュレータの嵌合突部がプラグインシュレータの嵌合凹部に嵌合するので、電線等に不用意な外力が加わったとしても嵌合突部と嵌合凹部によりプラグコネクタとリセプタクルコネクタの接離方向に直交する平面方向への分離を確実に防止できる。しかも、リセプタクルインシュレータ側に嵌合突部を突設しているものの、嵌合突部をプラグインシュレータ側の嵌合凹部に嵌合させているので、コネクタ全体が高背化することもない。さらに、プラグコンタクトの段差により省面積化を図りつつ嵌合凹部と嵌合突部を電線の延長方向に大きくできるので、嵌合突部の機械的強度の向上を図れる。このようにプラグインシュレータの機械的強度を強くしつつ、嵌合突部を嵌合凹部に嵌合させているので、コネクタを低背・省面積化した場合であってもプラグコネクタとリセプタクルコネクタを強固に接続できる。
さらに、プラグコンタクトの段差により省面積化を図りつつ嵌合凹部を電線の延長方向に大きくしているので、嵌合凹部に嵌合するリセプタクルコンタクトの幅も大きくできる。そのためコネクタを省面積化した場合であっても、リセプタクルコンタクトの弾性力の低下を防止できる。
【００１７】
請求項２記載の発明によれば、リセプタクルインシュレータがプラグコンタクトの接触部を受け入れる収容凹部を具備しているので、プラグコンタクトの接触部がリセプタクルコンタクトの弾性変形部に嵌合する際に、収容凹部がプラグコンタクトのガイド（誘い込み）として機能するので、接触部の無理な体勢での嵌合動作に起因するリセプタクルコンタクトの座屈・変形を防止できる。
さらに、プラグコンタクトとリセプタクルコンタクトの接触後においては、プラグコネクタに不要な力が加わっても収納凹部によりプラグコンタクトの接触部の位置規制がされるため、接触性能が維持される。
【００１８】
請求項３記載の発明によれば、プラグコネクタに係合突部を形成することにより壁部の高さを大きくしているので、低背のプラグコネクタにおいても大径の電線支持孔を形成できる。そのため、径が大きい電線を使用でき、且つ電線を安定して支持できる。
また、プラグコネクタをリセプタクルコネクタに装着したときにプラグインシュレータの係合突部がリセプタクルインシュレータの係合凹部に係合するので、電線径が大きい場合であってもコネクタ全体の低背化が可能となる。
【００１９】
請求項４記載の発明によれば、補強リブによって嵌合突部の強度が高くなるので、コネクタを低背化した場合であってもプラグコネクタとリセプタクルコネクタをより強固に接続でき、さらにプラグコネクタの不用意な装着操作をおこなったとしても嵌合突部の破損を防止できる。
しかも、補強リブがリセプタクルインシュレータにおけるプラグコネクタとの対向面側からプラグコネクタ側に向かうにつれて嵌合突部からの突出量が徐々に小さくなる形状なので、補強リブは断面形状が円形である電線と干渉しない。そのため、コネクタを小型化し（電線受容空間を小型化し）、かつ電線の径を大きくした場合であっても、電線を電線受容空間に補強リブと干渉することなく収納できる。
【００２０】
請求項５記載の発明によれば、プラグの接触部を２枚構成とするため、コネクタの低背・省面積化に伴いプラグコンタクトの板厚が薄くなったとしても、接触部の剛性が確保され、リセプタクルコンタクトとの装着時等における変形を防止できる。さらに、接触部の厚みが増すことから、リセプタクルコンタクトの弾性変形部の変位量を確保できることになるので、接触信頼性が高まる。
【００２１】
プラグコネクタを低背化した場合は作業者がプラグコネクタを掴みずらくなるため、作業者が電線を引上げることによりプラグコネクタをリセプタクルコネクタから無理抜きしたりして、プラグコネクタの破損や電線の切断を招く虞がある。しかし、このような場合であっても請求項６記載の発明のようにプラグインシュレータに治具の一部を挿脱可能な治具挿入部を形成すれば、治具を利用することによりプラグコネクタをリセプタクルコネクタから破損させることなく容易に分離できる。
【００２２】
請求項７記載の発明によれば、接触部と弾性変形部の一方に形成した係止突部が他方に形成した係止凹部に嵌合（係止）するので、リセプタクルコンタクトとプラグコンタクトの間の嵌合保持力を高めることができると共に、リセプタクルコンタクトとプラグコンタクトを接続したときにクリック感を得られる。
さらにリセプタクルコンタクトがプラグコンタクトに接続するときに、係止突部が接触部表面における係止凹部の近傍部に摺接した後に係止凹部に嵌合する。そのため係止突部によって接触部表面の当該近傍部に付着していた塵や埃などの異物が除去されるので、リセプタクルコンタクトとプラグコンタクトを確実に導通させることが可能である。
また請求項８記載の発明によれば、請求項７の発明と同様の効果を得られる。
【００２３】
請求項９記載の発明によれば、電線が屈曲する際に抑え用突部に接触しながら曲がることにより、電線とプラグコンタクトの接続部への負荷が低減されるために、接続部の塑性変形や電線の切断などを抑止できるので、低背小型のコネクタにおいても電線の繰り返しの屈曲等が生じても、より安定した接触信頼性を得ることができる。
さらに、電線に生じた曲げ力がある程度の大きさに達したときに（それほど大きくならないうちに）、プラグコネクタがリセプタクルコネクタに対して回転しながら分離するので、プラグコネクタやリセプタクルコネクタが破損したり、接続部が損傷したりするのを効果的に防止できる。
【図面の簡単な説明】
【００２４】
【図１】本発明の一実施形態のプラグコネクタとリセプタクルコネクタの接続状態の前斜め上方から見た斜視図である。
【図２】プラグコネクタとリセプタクルコネクタの分離状態の前斜め上方から見た斜視図である。
【図３】プラグコネクタとリセプタクルコネクタの接続状態の正面図である。
【図４】プラグコネクタとリセプタクルコネクタの接続状態の平面図である。
【図５】図４のＶ−Ｖ矢線に沿う断面図である。
【図６】プラグコネクタとリセプタクルコネクタの分離状態の図５と同様の断面図である。
【図７】プラグコネクタの後斜め上方から見た分解斜視図である。
【図８】プラグコネクタの前斜め下方から見た分解斜視図である。
【図９】プラグインシュレータの底面図である。
【図１０】プラグコネクタの底面図である。
【図１１】図１０のXI−XI矢線に沿う断面図である。
【図１２】リセプタクルインシュレータの前斜め上方から見た分解斜視図である。
【図１３】弾性変形部が自由状態にあるときのリセプタクルコネクタの平面図である。
【図１４】図１３のXIV−XIV矢線に沿う断面図である。
【図１５】図１３のXV−XV矢線に沿う断面図である。
【図１６】治具の斜視図である。
【図１７】治具を後方からコネクタに装着したときの斜視図である。
【図１８】変形例のリセプタクルコンタクトの一部を示す拡大断面図である。
【図１９】別の変形例のプラグコネクタの前斜め上方から見た斜視図である。
【図２０】プラグコネクタの後斜め下方から見た斜視図である。
【図２１】プラグコネクタとリセプタクルコネクタの接続状態の側面図である。
【図２２】電線が上方に曲げられたときの図２１と同様の側面図である。
【発明を実施するための形態】
【００２５】
以下、添付図面を参照しながら本発明の一実施形態について説明する。なお、以下の説明中の前後、上下、及び左右の方向は、図中の矢印の方向を基準としている。
本実施形態のコネクタ１０は、互いに接続及び分離可能なプラグコネクタ２０とリセプタクルコネクタ７０からなるものであり、例えば、携帯電話（携帯端末）、ＰＤＡ（Personal  Digital  Assistant）、その他の情報携帯端末に内蔵した構成部品（例えばスピーカー、マイク、バイブレーションモータ）と回路基板１１０とを電気的に接続する、高さ１ｍｍ程度の低背コネクタである。
【００２６】
まずプラグコネクタ２０について主に図７から図１１を利用して説明する。
プラグコネクタ２０はプラグインシュレータ２１と、一対のケーブル４０と、一対のプラグコンタクト５０と、を具備している。
プラグインシュレータ２１は絶縁性の合成樹脂材料（例えばポリカーボネート、ナイロン、ポリフェニレンサルファイド、ＬＣＰ等）を射出成形した左右対称かつ前後対称をなす略直方体形状の部材である。図示するようにプラグインシュレータ２１の上端部を構成する天井部２２の下面の前後両縁部には、左右方向に延びる壁部２３が下向きに突設してあり、壁部２３の下端部の中央部には係合突部２４が下向きに突設してある。前後の壁部２３には左右一対の電線支持孔２５が貫通孔として形成してあり、前側の壁部２３の前面と後側の壁部２３の後面には左右一対の治具用凹部（治具挿入部）２６が凹設してある。壁部２３の左右両端部にはスリット２７が形成してあり、スリット２７の側方には左右方向に弾性変形可能で下端部に係止爪２９を有する弾性片２８が形成してある。天井部２２の四隅近傍には計４つの第１保持孔３１が上下方向に延びる貫通孔として形成してあり、各第１保持孔３１の内側には４個で一組をなすように構成された左右２組の第２保持孔３２（計８つ）が上下方向に延びる貫通孔として形成してある。さらに左右の第１保持孔３１の外側には左右一対の長方形をなす第３保持孔３３が上下方向に延びる貫通孔として形成してある。
天井部２２の下面の左右方向の中央部には前後の壁部２３を接続する前後方向に延びる仕切壁３４が突設してある。第２保持孔３２の下面における仕切壁３４の左右両側は前後に位置する電線支持孔２５と同心かつ同じ曲率をなす円弧面３５となっており、天井部２２の下面の円弧面３５に連なる部分は底面視で略Ｃ字形状をなすＣ字面３６となっている。さらに天井部２２の下面における左右のＣ字面３６の外側に位置する部分は、Ｃ字面３６より一段深い凹部である（上方に位置する）嵌合凹部３８となっており、嵌合凹部３８の外側に位置する部分は、嵌合凹部３８より一段浅い凹部である（下方に位置する）嵌合保持部３９となっている。
【００２７】
左右一対のケーブル４０は、導電性及び可撓性を有する材料からなる芯線４１（撚り線や単線）の表面をチューブ状かつ可撓性を有する絶縁体４２で被覆したものである。絶縁体４２はプラグインシュレータ２１の電線支持孔２５、及び、円弧面３５と同じ略同じ曲率の円筒部材である。図示を省略してあるが、芯線４１の一方の端部（後端部）は情報携帯端末に内蔵した構成部品（例えばスピーカー、マイク、バイブレーションモータ、バッテリー）に接続している。
【００２８】
互いに対称形状をなす一対のプラグコンタクト５０は銅合金（例えばリン青銅、ベリリウム銅、チタン銅）やコルソン系銅合金の薄板を順送金型（スタンピング）により図示の形状となるように成形加工したものであり、表面にニッケルメッキで下地を形成した後に、金メッキを施している。
図示するようにプラグコンタクト５０は、前後方向に延びると共にプラグインシュレータ２１と平行な平面（図では水平面）に対して直交する板状（板厚０．１２ｍｍ）の第１接触板５１と、第１接触板５１の上面の中央部から上方に延びた後に下方に向かう折曲部５２と、折曲部５２の下端に連なりかつ第１接触板５１と平行な板状部である第２接触板５３と、を有している。第１接触板５１と第２接触板５３の対向面は互いに微少距離だけ離間しており（接触させてもよい）、第１接触板５１と折曲部５２と第２接触板５３が接触部５４を構成している。さらに左右の第１接触板５１の外側面には、側面形状が横長長方形をなす係止凹部５５が凹設してある（係止凹部５５の上下寸法及び前後寸法は、後述する接触突部１０２よりそれぞれ大きい）。第２接触板５３の前後両端部には、平面視で湾曲しながら他方のプラグコンタクト５０側に向かって延び、かつその上面が第１接触板５１より上方に位置する連結部５６が設けてあり、連結部５６の上面には係止突起５７が突設してある。前後の連結部５６の下半部からは、一旦互いに近づく方向に湾曲した後に他方のプラグコンタクト５０側に向かって延びる接続部５９が延びている。各接続部５９の上部は左右一対の圧接片６０により構成してあり、各接続部５９の端面には保持用爪６１が突設してある。
【００２９】
左右のケーブル４０及びプラグコンタクト５０はプラグインシュレータ２１の底部に固定することによりプラグインシュレータ２１と一体化する。
ケーブル４０及びプラグコンタクト５０をプラグインシュレータ２１に固定するには、まず左右のケーブル４０の前端部をプラグインシュレータ２１の後側の壁部２３の電線支持孔２５から円弧面３５に嵌合し、さらに前側の壁部２３の電線支持孔２５に挿入して、左右のケーブル４０をプラグインシュレータ２１の底部に仮保持する。次いで、左右のプラグコンタクト５０を下方からプラグインシュレータ２１の下面側（上方）に移動させることにより、プラグコンタクト５０の第１接触板５１をプラグインシュレータ２１の対応する嵌合保持部３９にそれぞれ嵌合し、前後の連結部５６を少なくとも一部が隣接する壁部２３と左右方向に並ぶようにして嵌合凹部３８に嵌合し、前後の接続部５９をＣ字面３６及び円弧面３５が前後の壁部２３との間に作り出す空間である受容凹部３７に嵌合する。そして左右のプラグコンタクト５０をさらに上方に移動させることにより折曲部５２を対応する第３保持孔３３に嵌合し、各係止突起５７を対応する第１保持孔３１に嵌合し、各圧接片６０の上端部を対応する第２保持孔３２に嵌合すると、各保持用爪６１が仕切壁３４に食い込むので（図５、図６参照）、左右のプラグコンタクト５０がプラグインシュレータ２１に固定される。さらに、このように左右のプラグコンタクト５０をプラグインシュレータ２１の底部に固定すると、各接続部５９の左右の圧接片６０が対応する絶縁体４２の対応部分を破って絶縁体４２内に位置する芯線４１の一方の端部（前端部）の近傍部を左右から挟持する（図５、図６参照）。従って、左右のプラグコンタクト５０と芯線４１が確実に接触し、かつ、ケーブル４０がプラグコンタクト５０を介してプラグインシュレータ２１に完全に固定される。
【００３０】
続いてリセプタクルコネクタ７０について主に図１２から図１５を利用して説明する。
リセプタクルコネクタ７０はリセプタクルインシュレータ７１と、一対のリセプタクルコンタクト９０と、を具備している。
リセプタクルインシュレータ７１は絶縁性かつ耐熱性の合成樹脂材料（例えばナイロン、液晶ポリマー、ポリフェニレンサルファイド）を射出成形した、前後対称かつ左右対称をなす平面視略長方形をなす部材である。
リセプタクルインシュレータ７１の底板部７２の前後両縁部の中央部には係合凹部７３が形成してある。リセプタクルインシュレータ７１の左右両端部近傍には側部壁７４が上向きに突設してあり、左右の側部壁７４の対向面には前後一対の係止突起７５が突設してある。さらに側部壁７４の上面の中央部には側部壁７４（底板部７２）より狭幅の逃げ凹部７６が下向きに凹設してある。さらにリセプタクルインシュレータ７１の左右両端部には前後一対のコンタクト保持用突部７７が突設してあり、前後のコンタクト保持用突部７７の上面と前後のコンタクト保持用突部７７の対向面にはそれぞれ上部溝７８と対向溝７９が形成してある（左右両端部の上部溝７８と対向溝７９がそれぞれ固定溝の構成要素である）。底板部７２の上面には左右の側部壁７４と隙間をもって対向し断面形状が略コ字形状をなす左右一対の嵌合突部８１が上向きに突設してある。互いに対向する側部壁７４と嵌合突部８１の前後両端部を除く部分間の空間は、リセプタクルコンタクト９０の弾性変形部９６を収容するためのリセプタクルコンタクト用凹部８２となっており、互いに対向する側部壁７４と嵌合突部８１の前後両端部の間の空間はプラグコンタクト５０の接触部５４の厚みと同じ左右寸法（ただし、上端部はテーパ状となっているので接触部５４の厚みより広幅）であるプラグコンタクト用凹部（収容凹部）８３となっている。さらに、底板部７２の上面には左右の嵌合突部８１の対向面に接続する補強リブ８４が設けてある。図示するように補強リブ８４は底板部７２側から上方に向かうにつれて対応する嵌合突部８１からの左右方向への突出量を徐々に減じる断面形状である。また、左右の補強リブ８４の間が電線受容空間８５となっている。
【００３１】
互いに対称形状をなす一対のリセプタクルコンタクト９０は、ばね弾性を備えた銅合金（例えばリン青銅、ベリリウム銅、チタン銅）やコルソン系銅合金の薄板を図示の形状に順送金型（スタンピング）により成形加工したものであり、表面にニッケルメッキで下地を形成した後に、金メッキを施している。
リセプタクルコンタクト９０は、略水平板状をなすテール部９１から上方に向かって延びる固定部９２と、固定部９２の上部から他方のリセプタクルコンタクト９０側に向かって延びる弾性変形部９６と、を有している。固定部９２はその前後両側部に一対の支承片９３を有しており、さらに該前後両側部における支承片９３の直下に保持用爪９４を有している。弾性変形部９６は、固定部９２の上部から略水平に延びる連結基部９７と、連結基部９７の端部から固定部９２側に戻りながら下方に延びる垂下片９８と、垂下片９８の下端部から略水平に延びる水平片９９と、水平片９９の端部から固定部９２側に戻りながら上方に延びる立上り片１００と、立上り片１００の先端部から斜め上方に向かって延びる自由端部１０１と、を具備しており、連結基部９７と垂下片９８の接続部と立上り片１００と自由端部１０１の接続部の２カ所がそれぞれ接触突部１０２、１０３となっている。このように弾性変形部９６の断面形状は略Ｕ字形状であり、弾性変形部９６が自由状態にあるときの接触突部１０２と接触突部１０３の左右方向間隔は接触部５４の板厚（左右寸法）より僅かに狭い。さらに図示するように各リセプタクルコンタクト９０の弾性変形部９６の幅方向の中央部にはスリット１０４が形成してある。
【００３２】
一対のリセプタクルコンタクト９０はリセプタクルインシュレータ７１の側部壁７４に、互いに対向し、かつ左右方向に並んだ状態で取り付けられる。具体的には、各リセプタクルコンタクト９０をリセプタクルインシュレータ７１の対応する端部の直上に位置させた後に下方に移動させ、弾性変形部９６を対応する逃げ凹部７６とリセプタクルコンタクト用凹部８２の内部に位置させると共に、テール部９１及び固定部９２を前後の対向溝７９の間に挿入する。そして前後の支承片９３の下面が対応する上部溝７８の底面に接触すると、前後の保持用爪９４が対応する対向溝７９の表面に食い込む（図１５参照）ので、リセプタクルコンタクト９０の固定部９２がリセプタクルインシュレータ７１の左右両端部に固定される。すると図１４に示すように各リセプタクルコンタクト９０の弾性変形部９６がリセプタクルインシュレータ７１（底板部７２、側部壁７４、嵌合突部８１）から離間した自由状態でリセプタクルコンタクト用凹部８２内に収納される。
このようにリセプタクルインシュレータ７１とリセプタクルコンタクト９０を一体化することによりリセプタクルコネクタ７０を構成した後に、底板部７２の補強リブ８４間の上面を吸着ノズル等（図示略）で吸着して回路基板１１０上に搬送して載置し、リセプタクルインシュレータ７１の下面に突出した各テール部９１を回路基板１１０（図５、図６参照）の信号用パターン（図示略）に半田付けする。
【００３３】
プラグコネクタ２０とリセプタクルコネクタ７０を結合するには、まずプラグコネクタ２０とリセプタクルコネクタ７０を図２に示す体勢にして、この体勢を維持したままプラグインシュレータ２１を図６に示す位置まで下方に移動させる。すると、プラグコンタクト５０の接触部５４が対応するプラグコンタクト用凹部８３の上端部（テーパ部）に接触することにより案内されながらさらに下方に移動するので、左右の接触部５４の下端部が図６に示す態様で左右のリセプタクルコンタクト９０（弾性変形部９６）の開口部に接触する。そしてこのままプラグコネクタ２０をさらに下方に移動させれば、弾性変形部９６の上端開口部がテーパ状であるため接触部５４は対応する弾性変形部９６を無理に弾性変形させることなく弾性変形部９６の内部に円滑に嵌合し（リセプタクルコンタクト９０を座屈、塑性変形等させない）、図１、図３、図５に示すようにプラグコネクタ２０とリセプタクルコネクタ７０が完全に接続する。すると、図５に示すように垂下片９８が側部壁７４側に弾性変形すると共に立上り片１００が嵌合突部８１側に弾性変形する（嵌合突部８１とは接触しない）。さらに、接触突部１０２と接触突部１０３によって接触部５４の両側面が弾性的に挟持される。より具体的には、接触突部（係止突部）１０２が第１接触板５１の係止凹部５５に嵌合し（係止凹部５５の底面に接触する）、接触突部１０３が第２接触板５３の内側面に接触する（図５参照）。従って、対応するプラグコンタクト５０とリセプタクルコンタクト９０同士が電気的に導通するので、プラグコンタクト５０及びリセプタクルコンタクト９０を介してケーブル４０（スピーカー、マイク、バイブレーションモータ、バッテリーなどの上記構成部品）と回路基板１１０が電気的に導通する。さらに左右の接触部５４の前後両端部が対応するプラグコンタクト用凹部８３の上端テーパ部より下方部分に挟まれた状態で嵌合し、プラグコンタクト用凹部８３によって接触部５４の位置規制がされるため、プラグコネクタ２０に外力が掛かってもプラグコンタクト５０とリセプタクルコンタクト９０の接触性能は維持される。
また、プラグコネクタ２０の仕切壁３４及び左右のケーブル４０が電線受容空間８５内に位置し、前後の係合突部２４が前後の係合凹部７３に嵌合し、左右の嵌合突部８１が対応する嵌合凹部３８に嵌合する。さらにプラグインシュレータ２１の４つの弾性片２８を弾性変形させながら各係止爪２９がリセプタクルインシュレータ７１の対応する係止突起７５と係合するので、図１、図３、図５に示す接続状態が保持される。
【００３４】
ケーブル４０と回路基板１１０の導通状態を解除するためにはプラグコネクタ２０に対して上方への移動力を付与することにより、各係止爪２９と対応する係止突起７５の係合関係を解除した上で、プラグコネクタ２０をリセプタクルコネクタ７０から分離すればよい。
しかし本実施形態のプラグコネクタ２０は極めて小型（前後、左右、上下の各寸法が小さい）のため、作業者がプラグコネクタ２０を手で掴むのが難しい。そのためこの場合は図１６及び図１７に示す治具１１５を利用する。この治具１１５は金属または樹脂製であり、作業者が手で把持する把持片１１６と、把持片１１６の下端部に設けた、その下面が偏平な上部接触面１１７となっている押え段部１１８と、押え段部１１８から下方に延び、その前面が上部接触面１１７に対して直交する偏平な側部接触面１２０となっている垂下部１１９と、側部接触面１２０の前面から前向きに突出する、その断面形状が治具用凹部２６と略同一である左右一対の挿入突起１２１と、を具備している。さらに側部接触面１２０の下縁部には左右一対の半円形形状（その径は絶縁体４２よりやや大きい）の半円凹部１２２が凹設してある。
治具１１５は、例えば図１７に示すように後方からコネクタ１０に装着して用いる。この場合は２つの半円凹部１２２を２本の絶縁体４２にそれぞれ被せた上で、押え段部１１８の上部接触面１１７をプラグインシュレータ２１の上面の後端部に載せ、さらに垂下部１１９の側部接触面１２０を後側の壁部２３の後面に接触させる。すると左右の挿入突起１２１がプラグインシュレータ２１の後面の一対の治具用凹部２６にそれぞれ嵌合して一体化するので、作業者は把持片１１６を把持しながら治具１１５を上方に引き上げればよい。すると治具１１５に付与した上方への移動力が、上部接触面１１７、側部接触面１２０、及び、一対の挿入突起１２１からプラグインシュレータ２１に対して効率よく伝わるので、プラグコネクタ２０をリセプタクルコネクタ７０から簡単に分離できる。
なお、治具１１５はコネクタ１０の前部に装着して用いてもよく、この場合は押え段部１１８の上部接触面１１７をプラグインシュレータ２１の上面の前端部に載せ、垂下部１１９の側部接触面１２０を前側の壁部２３の前面に接触させて用いる。
また、治具１１５に相当する部分を前後に一対具備し（前部と後部の治具１１５に相当する部分は互いに前後対称）、かつ両部分の把持片１１６に相当する部分の上端部を互いに結合した、該結合部分（及び把持片１１６）が弾性変形可能なクリップ型の治具（図示略）を用いてもよい。この場合は、上記結合部分を弾性変形させながら前部と後部の治具１１５に相当する部分どうしを互いに離間させた後に、該結合部分の弾性復帰力を利用して前部と後部の治具１１５に相当する部分を互いに近づけて、コネクタ１０の前後の治具用凹部２６に各挿入突起１２１を挿入することにより、当該治具によってプラグインシュレータ２１を前後から挟持して利用する。
【００３５】
以上説明した本実施形態では、リセプタクルコンタクト９０がプラグコンタクト５０の接触部５４（第１接触板５１、第２接触板５３）を弾性的に挟持可能な弾性変形部９６を有しているため、コネクタ１０の低背化（上下寸法の短小化）に伴ってリセプタクルコンタクト９０が小型化した場合であってもリセプタクルコンタクト９０とのプラグコンタクト５０の接触部５４を確実に接触可能である。
さらにリセプタクルコンタクト９０の接触突部１０２がプラグコンタクト５０の係止凹部５５に嵌合（係止）するので、リセプタクルコンタクト９０とプラグコンタクト５０の間の嵌合保持力を高めることができる。また、リセプタクルコンタクト９０とプラグコンタクト５０を接続したときにクリック感を得られるので、クリック感の有無により作業者が不完全嵌合を認識でき、接触不良や離脱を防止できる。さらにリセプタクルコンタクト９０がプラグコンタクト５０に接続するときに、接触突部１０２は第１接触板５１の外側面における係止凹部５５より上方に位置する部分に摺接した後に係止凹部５５に嵌合する。そのため、接触突部１０２によって第１接触板５１の外側面の当該上方部分に付着していた塵や埃などの異物が除去されるので、リセプタクルコンタクト９０とプラグコンタクト５０を確実に導通させることが可能である。
しかも、リセプタクルコンタクト９０の弾性変形部９６は左右方向に延びており、左右方向の長さを長くすることにより弾性変形し易くする（弾性力と変形量を確保できる）ことが可能な構造なので、コネクタ１０の低背化に伴ってリセプタクルコンタクト９０（弾性変形部９６）の高さが低くなっても弾性変形部９６の弾性変形力に及ぶ影響が小さい。
プラグコンタクト５０の接触部５４を２枚構成としているので、プラグコンタクト５０の板厚が０．１２ｍｍと薄肉であるにも拘わらず、接触部５４の剛性が確保され、リセプタクルコンタクト９０との接触時における塑性変形を防止できる。さらに、接触部５４の厚みが増すことから、リセプタクルコンタクト９０の弾性変形部９６の変位量を確保できることになるので、接触信頼性が高まる。
またプラグコンタクト５０の接触部５４と連結部５６の間に前後方向の段差を形成し、この段差部にプラグインシュレータ２１の壁部２３を位置させているので、壁部２３の板厚（前後寸法）を大きくすることが可能である。そのためプラグコネクタ２０を低背・省面積化した場合であっても、プラグインシュレータ２１の機械的強度や電線支持孔２５によるケーブル４０支持の効果を強くすることが可能である。さらに、プラグコネクタ２０とリセプタクルコネクタ７０を装着したときにリセプタクルインシュレータ７１の嵌合突部８１がプラグインシュレータ２１の嵌合凹部３８に嵌合するので、ケーブル４０等に不用意な外力が加わったとしても、嵌合凹部３８と嵌合突部８１によりプラグコネクタ２０とリセプタクルコネクタ７０の水平方向への分離を確実に防止できる。しかも、リセプタクルインシュレータ７１側に嵌合突部８１を突設しているものの、嵌合突部８１をプラグインシュレータ２１側の嵌合凹部３８に嵌合させているので、コネクタ１０全体の上下寸法が大きくなることもない。このようにプラグインシュレータ２１の機械的強度を向上させつつ、嵌合突部８１を嵌合凹部３８に嵌合させているので、コネクタ１０を低背化した場合であってもプラグコネクタ２０とリセプタクルコネクタ７０を強固に接続できる。
さらに上記段差を設けることによりプラグコネクタ２０の省面積化を図りつつ嵌合凹部３８を前後方向（リセプタクルコンタクト９０の幅方向）に大きくしているので、嵌合凹部３８に対して嵌合するリセプタクルコンタクト９０の幅を大きくできる。そのため、コネクタ１０の省面積化した場合であってもリセプタクルコンタクト９０の弾性力の低下を防止できる。
【００３６】
さらに本実施形態では、接触部５４を第１接触板５１と第２接触板５３の２枚板構造とすることによりその機械的強度を高めると共に、補強リブ８４によって嵌合突部８１の機械的強度を高くしており、さらにプラグインシュレータ２１の係合突部２４をリセプタクルインシュレータ７１の係合凹部７３に嵌合しているので、コネクタ１０を低背化した場合であってもプラグコネクタ２０とリセプタクルコネクタ７０をより強固に接続できる。しかも係合突部２４を設けることによりプラグコネクタ２０の上下寸法を長くしているものの、この係合突部２４はリセプタクルインシュレータ７１の係合凹部７３に嵌合するので、係合突部２４がコネクタ１０全体の低背化の妨げになることはない。さらに係合突部２４を設けることにより壁部２３の高さを大きくしているので、低背のプラグコネクタ２０においても大径の電線支持孔２５を形成できる。そのため、径が大きいケーブル４０を使用でき、且つケーブル４０を安定して支持できる。
また補強リブ８４が下方から上方に向かうにつれて嵌合突部８１からの突出量が徐々に小さくなる形状なので、補強リブ８４は電線受容空間８５内においてケーブル４０（絶縁体４２）と干渉し難い。そのため、コネクタ１０を小型化し（電線受容空間８５を小型化し）、かつケーブル４０の径を大きくした場合であっても、ケーブル４０を電線受容空間８５に対して補強リブ８４と干渉することなく収納できる。
【００３７】
以上、本発明を上記本実施形態に基づいて説明したが、本発明は様々な変形を施しながら実施可能である。
例えば、プラグコンタクト５０の接触部５４を第１接触板５１のみ、あるいは第２接触板５３のみによる１枚板構造としたり、３枚以上の複数枚構造としてもよい。
また、接触部５４の表面に、係止凹部５５より下方に位置し、接触部５４をリセプタクルコンタクト９０の接触突部１０２と接触突部１０３で挟持したときに、接触突部１０２と接触突部１０３に下方からそれぞれ係合する抜止突起を形成してもよい。このようにすれば、プラグコネクタ２０とリセプタクルコネクタ７０を装着したときにプラグコンタクト５０とリセプタクルコンタクト９０をより確実に接触させたりクリック感を得ることが可能になる。
また接触部５４の表面に係止凹部５５の代わりとして第１係止突部を形成し、プラグコネクタ２０とリセプタクルコネクタ７０を装着したときに、該第１係止突部が弾性変形部９６の接触突部（第２係止突部）１０２を乗り越えて、下方から接触突部１０２に係止するようにしてもよい。このように構成した場合も係止凹部５５を形成した場合と同様の作用効果を得られる。
さらに弾性変形部９６側に係止凹部５５（必要に応じて上記抜止突起も）又は上記第１係止突起を形成し、接触部５４側に接触突部１０２に相当する係止突部（第２係止突部）を形成してもよい。
また、プラグコネクタ２０とリセプタクルコネクタ７０の少なくとも一方に、他方のコンタクトとの接触時に集中荷重を得るための微小突起等の形状を形成してもよい。図１８はその一例であり、この変形例のリセプタクルコンタクト９０’の接触突部１０２に相当する部分には、リセプタクルコンタクト９０’の幅方向（前後方向）に延びる係止突条（係止突部）１２５を形成してある。この係止突条１２５は、プラグコンタクト５０とリセプタクルコンタクト９０’を接続したときに、第１接触板５１の係止凹部５５に嵌合する。
またプラグインシュレータ２１からスリット２７を省略してもよい。
さらに治具用凹部２６を壁部２３を貫通する孔に変更してもよい。
【００３８】
さらに図１９〜図２２に示す変形例の態様で実施することも可能である。
本変形例のプラグコネクタ２０’のプラグインシュレータ２１’は、スリット２７を具備していない点と、後面の上端部に後方（直線状態にあるケーブル４０と平行な方向）に向かって突出し、上方からケーブル４０と対向する抑え用突部３０を有する点を除いて、プラグインシュレータ２１と同じ構造である。左右の電線支持孔２５の上半部は抑え用突部３０の下部にまで及んでおり、抑え用突部３０の一部が各電線支持孔２５の上半部の左右両側部を塞ぐ壁を構成している。
コネクタ１０は極めて低背な構造であるため、作業者が接続状態にあるプラグコネクタ２０’（プラグコネクタ２０）をリセプタクルコネクタ７０から分離させようとしたときに、作業者がプラグコネクタ２０’（プラグコネクタ２０）を手で掴むのが困難な場合がある。そのため図２２に示すように、作業者が手でケーブル４０を上方に曲げることにより、プラグコネクタ２０’をリセプタクルコネクタ７０から分離させる可能性がある。また、携帯電話やＰＤＡ等の狭い内部空間で使用する場合には、当該内部空間においてケーブル４０に急角度での屈曲や捻れが生じ、さらには繰り返しの屈曲がケーブル４０に加わることがある。そしてケーブル４０にこのような曲げ（屈曲、捻れ）が生じると、ケーブル４０の張力がプラグコネクタ２０’に伝達される場合が多い。
しかし本変形例の場合は、抑え用突部３０によりケーブル４０が左右及び上方にガイドされるため（ケーブル４０のプラグインシュレータ２１’内に位置する部分の曲げが抑制されるため）、圧接片６０への張力の伝達を緩和でき、圧接片６０の塑性変形やケーブル４０の切断などを抑止できるので、低背小型のコネクタにおいてもより安定した接触信頼性を得ることができる。
また、ケーブル４０が上方に曲げられると、前側の係止爪２９と前側の係止突起７５の接触部を「支点（回転中心）」とする上方への回転力がプラグコネクタ２０’の後部に生じ、図２２に示すように後側の係止爪２９と後側の係止突起７５の係合が解除される。このとき抑え用突部３０を具備しない上記実施形態のプラグコネクタ２０では、プラグインシュレータ２１の後側の電線支持孔２５とケーブル４０の接触点が「力点」となり、後側の係止爪２９と後側の係止突起７５の接触部が「作用点」となり、図２２に示すように「力点」から「支点」までの距離（Ｌ１）と、「支点」から「作用点」までの距離が殆ど変わらなくなるので、ケーブル４０に生じた曲げ力（「力点」に生じる上方への力）が相当程度に大きくならないと（即ちケーブル４０が大きく曲がらないと）後側の係止爪２９に生じる上方への回転力が後側の係止爪２９と後側の係止突起７５の係合保持力を超えない。即ち、ケーブル４０に生じた曲げ力が相当程度に大きくなったときに初めて後側の係止爪２９と後側の係止突起７５の係合が解除されるが、プラグコネクタ２０がリセプタクルコネクタ７０から分離するまでにプラグコネクタ２０に対してこのような大きな力が掛かり続けると、プラグコネクタ２０やリセプタクルコネクタ７０が破損する可能性がある。これに対して本変形例においてケーブル４０が抑え用突部３０に接触しながら上方に曲がった場合の「力点」は抑え用突部３０とケーブル４０の接触部（点Ａ）となり、図２２に示すように「力点」から「支点」までの距離（Ｌ）が、「支点」から「作用点」までの距離よりかなり長くなるので（距離Ｌ１よりかなり長くなるので）、ケーブル４０に生じた曲げ力がある程度の大きさに達したときに（それほど大きくならないうちに）後側の係止爪２９に生じる上方への回転力が後側の係止爪２９と後側の係止突起７５の係合保持力を超え、後側の係止爪２９と後側の係止突起７５の係合が解除される。そのためプラグコネクタ２０’やリセプタクルコネクタ７０が破損するのを効果的に防止できる。
【符号の説明】
【００３９】
１０    コネクタ
２０  ２０’  プラグコネクタ
２１  ２１’  プラグインシュレータ
２２    天井部
２３    壁部
２４    係合突部
２５    電線支持孔
２６    治具用凹部（治具挿入部）
２７    スリット
２８    弾性片
２９    係止爪
３０    抑え用突部
３１    第１保持孔
３２    第２保持孔
３３    第３保持孔
３４    仕切壁
３５    円弧面
３６    Ｃ字面
３７    受容凹部
３８    嵌合凹部
３９    嵌合保持部
４０    ケーブル（電線）
４１    芯線
４２    絶縁体
５０    プラグコンタクト
５１    第１接触板（接触部）
５２    折曲部（接触部）
５３    第２接触板（接触部）
５４    接触部
５５    係止凹部
５６    連結部
５７    係止突起
５９    接続部
６０    圧接片
６１    保持用爪
７０  ７０’  リセプタクルコネクタ
７１    リセプタクルインシュレータ
７２    底板部
７３    係合凹部
７４    側部壁
７５    係止突起
７６    逃げ凹部
７７    コンタクト保持用突部
７８    上部溝（固定溝）
７９    対向溝（固定溝）
８１    嵌合突部
８２    リセプタクルコンタクト用凹部
８３    プラグコンタクト用凹部（収容凹部）
８４    補強リブ
８５    電線受容空間
９０    リセプタクルコンタクト
９１    テール部
９２    固定部
９３    支承片
９４    保持用爪
９６    弾性変形部
９７    連結基部
９８    垂下片
９９    水平片
１００  立上り片
１０１  自由端部
１０２  １０３  接触突部（係止突部）
１０４  スリット
１１０  回路基板
１１５  治具
１１６  把持片
１１７  上部接触面
１１８  押え段部
１１９  垂下部
１２０  側部接触面
１２１  挿入突起
１２２  半円凹部
１２５  係止突条（係止突部）
【図１】
0005276678.tif 000002
【図２】
0005276678.tif 000003
【図３】
0005276678.tif 000004
【図４】
0005276678.tif 000005
【図５】
0005276678.tif 000006
【図６】
0005276678.tif 000007
【図７】
0005276678.tif 000008
【図８】
0005276678.tif 000009
【図９】
0005276678.tif 000010
【図１０】
0005276678.tif 000011
【図１１】
0005276678.tif 000012
【図１２】
0005276678.tif 000013
【図１３】
0005276678.tif 000014
【図１４】
0005276678.tif 000015
【図１５】
0005276678.tif 000016
【図１６】
0005276678.tif 000017
【図１７】
0005276678.tif 000018
【図１８】
0005276678.tif 000019
【図１９】
0005276678.tif 000020
【図２０】
0005276678.tif 000021
【図２１】
0005276678.tif 000022
【図２２】
0005276678.tif 000023